(57)【要約】      （修正有）【課題】アルバムの写真を観ながら動画も同時に観て楽しむことができる動画再生装置付アルバムを提供する。【解決手段】動画再生装置付アルバム１０のアルバム本体裏表紙カバー体１６には動画再生装置載置カバー体２０が連続形成されている。アルバム本体２２はアルバム本体表表紙カバー体１２とアルバム本体裏表紙カバー体１６に挟まれるように配設されている。動画再生装置載置カバー体２０にはボックス取付シート２５の一面部２５Ａが接着されている。ボックス取付シート２５の他面部２５Ｂの外側面には動画再生装置カバー体２６が接着されている。動画再生装置カバー体２６の内側には動画再生装置ボックス３０が回動可能に取り付けられている。動画再生装置ボックス３０には動画再生装置が内蔵され動画再生装置用開口部３６を介して動画再生表示体が露出している。【選択図】図１
0003181917.tif 000002
【実用新案登録請求の範囲】
【請求項１】
アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続して形成された動画再生装置カバー体と、前記アルバム本体表表紙カバー体とアルバム本体裏表紙カバー体の間に配設されると共に頁シートを綴じて形成されたアルバム本体と、前記動画再生装置カバー体の内側に回動可能に取り付けられると共に傾斜して立て掛けることができる動画再生装置取付ボックスと、この動画再生装置取付ボックスに設けられた動画再生装置と、を有してなることを特徴とする動画再生装置付アルバム。
【請求項２】
アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続して形成された動画再生装置カバー体と、前記アルバム本体表表紙カバー体とアルバム本体裏表紙カバー体の間に配設されると共に頁シートを綴じて形成されたアルバム本体と、前記動画再生装置カバー体の内側に回動可能に取り付けられると共に傾斜して立て掛けることができる動画再生装置取付ボックスと、この動画再生装置取付ボックスに取り付けられると共に動画再生装置を構成する動画再生表示体と、前記動画再生装置取付ボックスに取り付けられると共に動画再生装置を構成する情報処理体と、前記動画再生表示体と前記情報処理体を接続するケーブルと、を有してなることを特徴とする動画再生装置付アルバム。
【請求項３】
アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体背表紙カバー体に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に一面部が接着されると共に折返部を介して連続形成された他面部の外側に動画再生装置カバー体が接着されたボックス取付シートと、このボックス取付シートの他面部に回動可能に取り付けられた動画再生装置ボックスと、この動画再生装置ボックスに内蔵された取付プレートと、この取付プレートに取り付けられる動画再生装置の動画再生表示体と、前記取付プレートに取り付けられる動画再生装置の情報処理体と、前記動画再生表示体と情報処理体を接続するケーブルと、を有してなることを特徴とする動画再生装置付アルバム。
【請求項４】
アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に取り付けられた動画再生装置ボックスと、この動画再生装置ボックスに設けられた動画再生装置と、を有してなることを特徴とする動画再生装置付アルバム。
【請求項５】
アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に取り付けられた動画再生装置ボックスと、この動画再生装置ボックスに内蔵された取付プレートと、この取付プレートに取り付けられる動画再生装置の動画再生表示体と、前記取付プレートに取り付けられた動画再生装置の情報処理体と、前記動画再生表示体と情報処理体を接続するケーブルと、を有してなることを特徴とする動画再生装置付アルバム。
【請求項６】
アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に固定された動画再生装置ボックスと、この動画再生装置取付ボックスの背面に折り畳み可能に設けられたスタンドと、前記動画再生装置ボックスに内蔵された取付プレートと、この取付プレートに取り付けられる動画再生装置の動画再生表示体と、前記取付プレートに取り付けられた動画再生装置の情報処理体と、前記動画再生表示体と情報処理体を接続するケーブルと、を有してなることを特徴とする動画再生装置付アルバム。
【請求項７】
アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、前記アルバム本体表表紙カバー体とアルバム本体裏表紙カバー体に挟まれて設けられると共に頁シートを綴じて形成されたアルバム本体と、前記アルバム本体表表紙カバー体に貫通形成された覗き窓と、前記頁シートに貫通形成された動画鑑賞用開口部と、前記アルバム本体裏表紙カバー体の内側面に前記動画鑑賞用開口部と対応するように配設されると共に前記動画鑑賞用開口部に収容された動画再生装置と、を有してなることを特徴とする動画再生装置付アルバム。
【請求項８】
第１アルバム本体表表紙カバー体と、この第１アルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された第２アルバム本体表表紙カバー体と、前記第１アルバム本体表表紙カバー体及び前記第２アルバム本体表表紙カバー体と前記アルバム本体裏表紙カバー体に挟まれて設けられると共に頁シートを綴じて形成されたアルバム本体と、前記第１アルバム本体表表紙カバー体と前記第２アルバム本体表表紙カバー体に跨って貫通形成された覗き窓と、前記頁シートに貫通形成された動画鑑賞用開口部と、前記アルバム本体裏表紙カバー体の内側面に前記動画鑑賞用開口部と対応するように配設されると共に前記動画鑑賞用開口部に収容された動画再生装置と、を有してなることを特徴とする動画再生装置付アルバム。
【請求項９】
前記ケーブルを伸縮自在でフレキシブルな伸縮自在フレキシブルフラットケーブルにしたことを特徴とする請求項２、請求項３、請求項５、請求項６のいずれか１項に記載の動画再生装置付アルバム。
【考案の詳細な説明】
【技術分野】
【０００１】
本考案は、アルバムに関し、詳しくはアルバムに動画再生装置を設けた動画再生装置付アルバムに関する。
【背景技術】
【０００２】
従来より写真を貼付したりプリントしたりする頁を綴じてなるアルバムは広く知られ、広く用いられている（特許文献１）。このアルバムは表表紙カバー体と裏表紙カバー体の間に綴じられた頁シートに写真が貼付されたりプリントされたりしているので、写真を簡単に観ることができ便利である。
ところで、近年、ビデオ装置等の動画撮影機器の著しい進歩発達によって簡単かつ手軽に動画撮影ができるようになっている。このため、特に人生の一大イベントである結婚披露宴等は写真撮影だけでなくビデオ装置で動画撮影するのが一般的になっている。
しかし、従来のアルバムは上述したように頁シートに写真を貼付したりプリントしたりする機能しか有していないので、ビデオ装置で録画した動画は別途に用意した動画再生装置で見るしかないので煩雑である。
そこで、アルバムの表表紙カバー体に動画再生装置を設けて写真と動画再生装置をセットにした動画再生装置機能付アルバムが提案されている。
しかし、この動画再生装置機能付アルバムは動画再生装置が表表紙カバー体に設けられ表表紙カバー体の正面に液晶表示部が表れるため頁シートに貼付又はプリントされている写真と動画を同時に観て楽しむことができないという不具合がある。
【先行技術文献】
【特許文献】
【０００３】
【特許文献１】実用新案登録第３０５９７５７号公報
【考案の概要】
【考案が解決しようとする課題】
【０００４】
本考案は、上記事実に鑑みなされたものであり、アルバムの頁シートに貼付、プリントされた写真を観ながら動画も同時に観て楽しむことができる動画再生装置付アルバムを提供するものである。
【課題を解決するための手段】
【０００５】
請求項１の考案は、アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続して形成された動画再生装置カバー体と、前記アルバム本体表表紙カバー体とアルバム本体裏表紙カバー体の間に配設されると共に頁シートを綴じて形成されたアルバム本体と、前記動画再生装置カバー体の内側に回動可能に取り付けられると共に傾斜して立て掛けることができる動画再生装置取付ボックスと、この動画再生装置取付ボックスに設けられた動画再生装置と、を有してなることを特徴としている。
請求項２の考案は、アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続して形成された動画再生装置カバー体と、前記アルバム本体表表紙カバー体とアルバム本体裏表紙カバー体の間に配設されると共に頁シートを綴じて形成されたアルバム本体と、前記動画再生装置カバー体の内側に回動可能に取り付けられると共に傾斜して立て掛けることができる動画再生装置取付ボックスと、この動画再生装置取付ボックスに取り付けられると共に動画再生装置を構成する動画再生表示体と、前記動画再生装置取付ボックスに取り付けられると共に動画再生装置を構成する情報処理体と、前記動画再生表示体と前記情報処理体を接続するケーブルと、を有してなることを特徴としている。
請求項３の考案は、アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体背表紙カバー体に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に一面部が接着されると共に折返部を介して連続形成された他面部の外側に動画再生装置カバー体が接着されたボックス取付シートと、このボックス取付シートの他面部に回動可能に取り付けられた動画再生装置ボックスと、この動画再生装置ボックスに内蔵された取付プレートと、この取付プレートに取り付けられる動画再生装置の動画再生表示体と、前記取付プレートに取り付けられる動画再生装置の情報処理体と、前記動画再生表示体と情報処理体を接続するケーブルと、を有してなることを特徴としている。
請求項４の考案は、アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に取り付けられた動画再生装置ボックスと、この動画再生装置ボックスに設けられた動画再生装置と、を有してなることを特徴としている。
請求項５の考案は、アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に取り付けられた動画再生装置ボックスと、この動画再生装置ボックスに内蔵された取付プレートと、この取付プレートに取り付けられる動画再生装置の動画再生表示体と、前記取付プレートに取り付けられた動画再生装置の情報処理体と、前記動画再生表示体と情報処理体を接続するケーブルと、を有してなることを特徴としている。
請求項６の考案は、アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された動画再生装置載置カバー体と、前記アルバム本体表表紙カバー体とアルバム本体裏表紙カバー体に挟まれて設けられると共に頁シートを綴じて形成されたアルバム本体と、前記動画再生装置載置カバー体に固定された動画再生装置ボックスと、この動画再生装置取付ボックスの背面に折り畳み可能に設けられたスタンドと、前記動画再生装置ボックスに内蔵された取付プレートと、この取付プレートに取り付けられる動画再生装置の動画再生表示体と、前記取付プレートに取り付けられた動画再生装置の情報処理体と、前記動画再生表示体と情報処理体を接続するケーブルと、を有してなることを特徴としている。
請求項７の考案は、アルバム本体表表紙カバー体と、このアルバム本体表表紙カバー体に連続形成されたアルバム本体背表紙カバー体と、このアルバム本体背表紙カバー体に連続形成されたアルバム本体裏表紙カバー体と、前記アルバム本体表表紙カバー体とアルバム本体裏表紙カバー体に挟まれて設けられると共に頁シートを綴じて形成されたアルバム本体と、前記アルバム本体表表紙カバー体に貫通形成された覗き窓と、前記頁シートに貫通形成された動画鑑賞用開口部と、前記アルバム本体裏表紙カバー体の内側面に前記動画鑑賞用開口部と対応するように配設されると共に前記動画鑑賞用開口部に収容された動画再生装置と、を有してなることを特徴としている。
請求項８の考案は、第１アルバム本体表表紙カバー体と、この第１アルバム本体表表紙カバー体に連続形成されたアルバム本体背表紙カバー体と、このアルバム本体背表紙カバー体に連続形成されたアルバム本体裏表紙カバー体と、このアルバム本体裏表紙カバー体に連続形成された立上部と、この立上部に連続形成された第２アルバム本体表表紙カバー体と、前記第１アルバム本体表表紙カバー体及び前記第２アルバム本体表表紙カバー体と前記アルバム本体裏表紙カバー体に挟まれて設けられると共に頁シートを綴じて形成されたアルバム本体と、前記第１アルバム本体表表紙カバー体と前記第２アルバム本体表表紙カバー体に跨って貫通形成された覗き窓と、前記頁シートに貫通形成された動画鑑賞用開口部と、前記アルバム本体裏表紙カバー体の内側面に前記動画鑑賞用開口部と対応するように配設されると共に前記動画鑑賞用開口部に収容された動画再生装置と、を有してなることを特徴としている。
請求項９の考案は、前記ケーブルを伸縮自在でフレキシブルな伸縮自在フレキシブルフラットケーブルにしたことを特徴としている。
【考案の効果】
【０００６】
本考案の動画再生装置付アルバムは、アルバム本体を開いて頁シートの写真を観ながら動画再生装置で動画も同時に観ることができるので写真や動画で撮った場面や状況をより一層鮮明に思い出すことができると共に臨場感を伴いながら思い出を一段と楽しむことができるという優れた効果を有する。
本考案の動画再生装置付アルバムは、動画再生装置の動画再生表示体の取付位置を容易に変更することができるので動画再生装置付アルバムのデザイン的バリエーションを増やすことができるという優れた効果を有する。
本考案の動画再生装置付アルバムは、動画再生装置の動画再生表示体を自由に傾斜できるので好みの傾斜角度で動画を観ることができるという優れた効果を有する。
請求項７、請求項８の動画再生装置付アルバムは、アルバム本体の内部に動画再生装置を設けたので動画再生装置付アルバムをよりコンパクトにできるという優れた効果を有する。
【図面の簡単な説明】
【０００７】
【図１】第１実施例の動画再生装置付アルバムの使用状態を示す全体斜視図である。
【図２】第１実施例の動画再生装置付アルバムの全体斜視図である。
【図３】第１実施例の動画再生装置付アルバムの動画再生装置ボックスを傾斜させる途中の斜視図である。
【図４】第１実施例の動画再生装置付アルバムの取付プレートに動画再生装置を取り付けた状態の正面図である。
【図５】第１実施例の動画再生装置付アルバムの取付プレートに動画再生装置を取り付けた状態の他の例の正面図である。
【図６】第２実施例の動画再生装置付アルバムの使用状態を示す全体斜視図である。
【図７】第３実施例の動画再生装置付アルバムの使用状態を示す全体斜視図である。
【図８】第４実施例の動画再生装置付アルバムの使用状態を示す全体斜視図である。
【図９】第５実施例の動画再生装置付アルバムの使用状態を示す全体斜視図である。
【図１０】第５実施例の動画再生装置付アルバムの一部概略縦断面図である。
【図１１】第６実施例の動画再生装置付アルバムの全体斜視面である。
【考案を実施するための形態】
【０００８】
考案を実施するために最良の形態の例として以下のような実施例を示す。
【実施例１】
【０００９】
図１〜図５には本考案に係る動画再生装置付アルバムの第１実施例が示されている。なお、実施例では本考案に係る動画再生装置付アルバムで結婚披露宴の写真と動画を観る場合を例にして説明する。
図１に示されるように、動画再生装置付アルバム１０は、アルバム本体表表紙カバー体１２とアルバム本体背表紙カバー体１４とアルバム本体裏表紙カバー体１６が連続形成されている。このアルバム本体表表紙カバー体１２とアルバム本体背表紙カバー体１４の間、アルバム本体背表紙カバー体１４とアルバム本体裏表紙カバー体１６の間、にはそれぞれ折曲線１８，１８が形成されている。
前記アルバム本体裏表紙カバー体１６には連続して動画再生装置載置カバー体２０が一体形成されている。
前記アルバム本体裏表紙カバー体１６にはアルバム本体２２が載置された状態で接着等によって固定され、アルバム本体２２はアルバム本体表表紙カバー体１２と前記アルバム本体裏表紙カバー体１６に挟まれるように配設されている。
前記アルバム本体２２は写真１を貼付又はプリントする紙製の頁シート２４を複数枚綴じて形成されている。
図３に示されるように、前記動画再生装置載置カバー体２０にはボックス取付シート２５の一面部２５Ａが接着されている。このボックス取付シート２５の他面部２５Ｂは折返部２５Ｃを介して折り返されている。この他面部２５Ｂの外側面には動画再生装置カバー体２６が接着されている。この実施例では動画再生装置カバー体２６は前記アルバム本体表表紙カバー体１２、アルバム本体背表紙カバー体１４、アルバム本体裏表紙カバー体１６、動画再生装置載置カバー体２０と同一の模様や色彩が施され、前記アルバム本体表表紙カバー体１２、アルバム本体背表紙カバー体１４、アルバム本体裏表紙カバー体１６、動画再生装置載置カバー体２０、動画再生装置カバー体２６は外観デザインが統一されている。
図３に示されるように、前記動画再生装置カバー体２６の内側には動画再生装置ボックス３０が回動可能に取り付けられている。この動画再生装置ボックス３０の内部には動画再生装置３２が嵌合して取り付けられる発泡スチロール等の適宜材料で形成された肉厚板状の取付プレート３４（図４参照）が収容されている。また、動画再生装置ボックス３０の正面には動画再生装置用開口部３６が形成されている。
前記動画再生装置ボックス３０は基端部３０Ａを中心として回動可能に取り付けられているので動画再生装置ボックス３０は先端部３０Ｂを前記動画再生装置載置カバー体２０に置くことにより図１に示すように前記動画再生装置ボックス３０を傾斜状態で立て掛けることができるようになっている。
図４に示されるように前記動画再生装置３２は動画を再生して表示する動画再生表示体４０と、動画等の各種情報を処理する情報処理体４２を別々に備えて構成されている。前記動画再生表示体４０と情報処理体４２は伸縮自在でフレキシブルなケーブルとしての伸縮自在フレキシブルフラットケーブル４４で接続されている。
前記動画再生表示体４０には液晶表示部４０Ａ、一対のスピーカー部４０Ｂ、複数の操作ボタン４０Ｃが設けられている。また、前記情報処理体４２の一側面４２Ａの中間部には図示しないデータ転送用ＵＳＢ受口、充電用電源受口が形成されている。
前記取付プレート３４には動画再生表示体嵌合部３４Ａ、情報処理体嵌合部３４Ｂ、ケーブル嵌合部３４Ｃが窪んで形成されている。この動画再生表示体嵌合部３４Ａには動画再生表示体４０が嵌合され、情報処理体嵌合部３４Ｂには情報処理体４２が嵌合され、ケーブル嵌合部３４Ｃには伸縮自在フレキシブルフラットケーブル４４が嵌合されている。
従って、動画再生表示体４０と情報処理体４２は伸縮自在フレキシブルフラットケーブル４４で接続されているので動画再生表示体４０は取付プレート３４のどこの部分でも取り付けることができる。このため、データ転送や充電等を行う関係から情報処理体４２の一側面４２Ａを取付プレート３４の側面に対応させて情報処理体４２を取付プレート３４に配設すれば、図５に示すように動画再生表示体４０を取付プレート３４の下部に取り付けてもよいし、図示はしないが取付プレート３４に対して傾斜させて取り付けてもよいので、動画再生表示体４０の取付位置を変えることができるため動画再生装置付アルバム１０のデザインの多様化を図ることができる。
図１に示されるように、前記動画再生装置用開口部３６は前記動画再生表示体４０に対応する位置に形成されており、動画再生装置用開口部３６から動画再生表示体４０の液晶表示部４０Ａ、一対のスピーカー部４０Ｂ、複数の操作ボタン４０Ｃが露出するようになっている。
【００１０】
次に、第１実施例の動画再生装置付アルバム１０の作用を説明する。
動画再生装置付アルバム１０で結婚披露宴の写真１と動画２を観る場合は図２に示されているように閉じられている動画再生装置カバー体２６を持ち上げながら動画再生装置取付ボックス３０を基端部３０Ａを中心として回動させて動画再生装置取付ボックス３０の先端部３０Ｂを動画再生装置カバー体２０に置くことにより図１に示すように前記動画再生装置取付ボックス３０を傾斜状態で立て掛ける。
そして、動画再生表示体４０の操作ボタン４０Ｃを操作して液晶表示部４０Ａに結婚披露宴の動画２を表示する。
また、アルバム本体表表紙カバー体１２を開くとアルバム本体２２の頁シート２４に貼付された結婚披露宴の新郎、新婦が写された写真１が表れる。
従って、写真１と動画２を一度に観ることができるので、アルバム本体２２で写真１だけ、あるいは動画再生装置３２で動画２だけを別々に観るよりも結婚披露宴の思い出を臨場感を伴いながらより一層鮮明に思い出すことができる。
しかも、前記動画再生装置取付ボックス３０は傾斜して立て掛けられているので液晶表示部４０Ａも傾斜するため動画２が観易い。また、動画再生装置ボックス３０は自由に傾斜角度を変えることができるので観る者に観易い角度で動画２を観ることができる。
なお、動画再生装置付アルバム１０の動画再生表示体４０と情報処理体４２は伸縮自在フレキシブルケーブル４４で接続されているため、取付プレート３４の任意の場所に動画再生表示体嵌合部３４Ａを形成して動画再生表示体４０を嵌合すれば動画再生表示体４０の取付位置を容易に変更することができるので動画再生装置付アルバム１０のデザイン的バリエーションを増やすことができる。
また、特に結婚式や結婚披露宴を執り行うホテルやブライダル会社等にとっては本考案の動画再生装置付アルバム１０は結婚を控えた利用者に対して提供サービスの内容を増やすことができ利用者に対してのアピール材料となる。
【００１１】
図６には動画再生装置付アルバムの第２実施例が示されている。
なお、第１実施例の動画再生装置付アルバム１０と同一の構成は同一の符号を用いてその説明を省略する。
第２実施例の動画再生装置付アルバム５０のアルバム本体裏表紙カバー体１６と動画再生装置載置カバー体２０の間には立上部５２が連続して一体形成されている。この立上部５２の幅寸法はアルバム本体表表紙カバー体１２の肉厚寸法とアルバム本体２２の肉厚寸法を加算した寸法よりも僅かに長く設定されている。
この立上部５２とアルバム本体裏表紙カバー体１６の間及び立上部５２と動画再生装置載置カバー体２０の間にはそれぞれ折曲線５４，５４が形成されている。
前記動画再生装置載置カバー体２０には前記取付プレート３４が内蔵された動画再生装置取付ボックス５６が載置固定状態で直接接着されて取り付けられている。この動画再生装置取付ボックス５６の表面にはＣＤやＤＶＤを嵌め込むことができる円形状のＣＤ・ＤＶＤ収容部５８が形成されている。従って、結婚披露宴で録音、録画した音声や映像のＣＤやＤＶＤをＣＤ・ＤＶＤ取付部５８に収容することができる。
また、第２実施例の動画再生装置付アルバム５０には立上部５２が設けられているので写真や動画を観ない場合はアルバム本体２２の上にアルバム本体表表紙カバー体１２を閉じてから動画再生装置載置カバー体２０をアルバム本体表表紙カバー体１２の上に重ねて閉じることができる。
従って、アルバム本体２２の上に動画再生装置載置カバー体２０を重ねられるため第１実施例の動画再生装置付アルバム１０よりコンパクトにでき、保管場所スペースが小さくてすみ保管に便利であると共に持ち運びにも便利である。
【００１２】
図７には動画再生装置付アルバムの第３実施例が示されている。
なお、第１実施例の動画再生装置付アルバム１０、第２実施例の動画再生装置付アルバム５０と同一の構成は同一の符号を用いてその説明を省略する。
第３実施例の動画再生装置付アルバム６０は前記第２実施例の動画再生装置付アルバム５０の変形例である。
図７に示されるように、動画再生装置付アルバム６０の動画再生装置載置カバー体２０の内側にはボックス取付シート６２が接着されている。このボックス取付シート６２には動画再生装置取付ボックス５６の下端部５６Ａのみが取り付けられている。これにより、動画再生装置取付ボックス５６は下端部５６Ａを介して動画再生装置載置カバー体２０に対して回動可能となっている。
前記動画再生装置取付ボックス５６の背面には折り畳み可能な扁平状のスタンド６４が折り畳んだ状態で取り付けられている。
従って、前記スタンド６４を立てることにより前記動画再生装置取付ボックス５６を傾斜状態に立て掛けることができるので、液晶表示部４０Ａで動画を観る場合に動画を観易くすることができる。
なお、他の作用、効果は第１実施例の動画再生装置付アルバム１０、第２実施例の動画再生装置付アルバム５０と同一であるのでその説明を省略する。
【００１３】
図８には動画再生装置付アルバムの第４実施例が示されている。
なお、第１実施例の動画再生装置付きアルバム１０、第２実施例の動画再生装置付アルバム５０と同一の構成は同一の符号を用いてその説明を省略する。
第４実施例の動画再生装置付アルバム７０も第３実施例の動画再生装置付アルバム６０と同様に前記第２実施例の動画再生装置付アルバム５０の変形例である。
図８に示されるように、この動画再生装置付アルバム６６においては動画再生装置取付ボックス５６にＣＤ・ＤＶＤ収容部５８は形成されておらず、動画再生装置取付ボックス５６の中央部に動画再生表示体４０が露出するように形成されている。
なお、他の作用、効果は第１実施例の動画再生装置付アルバム１０、第２実施例の動画再生装置付アルバム５０と同一であるのでその説明を省略する。
【００１４】
図９及び図１０には動画再生装置付アルバムの第５実施例が示されている。
なお、第１実施例の動画再生装置付アルバム１０と同一の構成は同一の符号を用いてその説明を省略する。
第５実施例の動画再生装置付アルバム７０は、アルバム本体表表紙カバー体７２とアルバム本体背表紙カバー体７４とアルバム本体裏表紙カバー体７６が連続続形成されている。このアルバム本体表表紙カバー体７２とアルバム本体背表紙カバー体７４、アルバム本体背表紙カバー体７４とアルバム本体裏表紙カバー体７６の間にはそれぞれ折曲線７７，７７が形成されている。前記アルバム本体表表紙カバー体７２の中央には小さい矩形状の覗き窓７８が貫通形成されている。
前記アルバム本体表表紙カバー体７２と前記アルバム本体裏表紙カバー体７６の間にはアルバム本体８０が挟まれて配設されている。
前記アルバム本体８０は写真１を貼付又はプリントする紙製の頁シート８２を複数枚綴じて形成している。これら頁シート８２の中央には矩形状の動画鑑賞用開口部８４が頁シート８２毎に貫通形成されている。
従って、頁シート８２に写真１を貼付又はプリントする場合はこの動画鑑賞用開口部８４を除いた部分に写真１を貼付又はプリントするようになっている。
図１０に示されるように前記アルバム本体裏表紙カバー体７６の内側面中央部には動画再生装置８６が載置されている。この動画再生装置８６は前記情報処理体４２に前記動画再生表示体４０を重ね合わせた構成のタイプのものである。
このため、図９に示されるようにアルバム本体表表紙カバー体７２を開くと動画再生装置８６の液晶表示部４０Ａが表れるようになっている。
従って、第５実施例の動画再生装置付アルバム７０はアルバム本体８０の内部に動画再生装置８６を設けたので、動画再生装置付アルバム７０の大きさをよりコンパクトにできるため持ち運びや保管に便利である。また、動画再生装置付アルバム７０はコンパクトであるため友人宅、知人宅に持参する等、自宅以外の場所で写真１と動画２を観ることをより簡便にすることができる。
また、前記動画再生装置付アルバム７０のアルバム本体表表紙カバー体７２に小さい覗き窓７８が形成されているので覗き窓７８から液晶表示部４０Ａに表示される動画を観ることができるので従来のアルバムと趣向の異なる観方をすることができ、重要者、取引者に対して斬新な印象を与えることができる。
【００１５】
図１１には第６実施例の動画再生装置付アルバムが示されている。この第６実施例の動画再生装置付アルバム９０は第５実施例の動画再生装置付アルバム７０の変形例であり、動画再生装置付アルバム７０の片側開きのアルバム本体表表紙カバー体７２を観音開きタイプにしたものである。
なお、第１実施例の動画再生装置付アルバム１０、第５実施例の動画再生装置付アルバム７０と同一の構成は同一の符号を用いてその説明を省略する。
第６実施例の動画再生装置付アルバム９０のアルバム本体裏表紙カバー体７６の他端部には立上部９２が連続形成されている。
前記アルバム本体背表紙カバー体７４には連続してアルバム本体表表紙カバー体を構成する第１アルバム本体表表紙カバー体９４が連続形成されている。また、前記立上部９２には連続して第１アルバム本体表表紙カバー体９４と共にアルバム本体表表紙カバー体を構成する第２アルバム本体表表紙カバー体９６が連続形成されている。
図１１に示されるように、第１アルバム本体表表紙カバー体９４と第２アルバム本体表表紙カバー体９６には跨って覗き窓７８が貫通形成されている。
なお、他の作用、効果は第１実施例の動画再生装置付アルバム１０、第５実施例の動画再生装置付アルバム７０と同一であるのでその説明を省略する。
【００１６】
なお、実施例では動画再生装置付アルバム１０、５０、６０、６６、７０、９０を利用して結婚披露宴の写真、動画を観る場合について説明したが、七五三や成人式等の写真、動画を観る場合に利用してもよいことは勿論である。
また、動画再生装置は実施例に示した動画再生装置３２、８６に限定されるものでなく、実施例以外の構造の動画再生装置を使用してもよいことは勿論である。
【産業上の利用可能性】
【００１７】
本考案の動画再生装置付アルバムは、日常の写真や動画等お祝い事以外の写真や動画を観る場合にも使用することができる。
【符号の説明】
【００１８】
１０    動画再生装置付アルバム
１２    アルバム本体表表紙カバー体
１４    アルバム本体背表紙カバー体
１６    アルバム本体裏表紙カバー体
１８    折曲線
２０    動画再生装置載置カバー体
２２    アルバム本体
２４    頁シート
２５    ボックス取付シート
２６    動画再生装置カバー体
２８    折曲部
３０    動画再生装置ボックス
３２    動画再生装置
３４    取付プレート
３６    動画再生装置用開口部
４０    動画再生表示体
４２    情報処理体
４４    伸縮自在フレキシブルフラットケーブル
【図１】
0003181917.tif 000003
【図２】
0003181917.tif 000004
【図３】
0003181917.tif 000005
【図４】
0003181917.tif 000006
【図５】
0003181917.tif 000007
【図６】
0003181917.tif 000008
【図７】
0003181917.tif 000009
【図８】
0003181917.tif 000010
【図９】
0003181917.tif 000011
【図１０】
0003181917.tif 000012
【図１１】
0003181917.tif 000013